(57)【要約】【課題】面光源による発光で鏡面から均一の光が照射され、意匠性に優れ様々な模様が形成できる発光鏡。【解決手段】  電力供給手段１２により電力が供給されることで、一方の面１３ｆ及び／又は他方の面１３ｂが面状に発光する平板形状の面発光装置１０と、前記面発光装置１０の一方の面１３ｆ側に取り付けられ、光を反射する反射面２０ｆが形成された鏡部２０と、前記鏡部２０に形成され、前記面発光装置１０から発光される光を通過させる光通過部３０とからなり、前記光通過部３０は、絵画、写真、図形、記号、文字及びキャラクターから選択される１種以上を含む模様になるように前記鏡部２０に形成されていることを特徴とする発光鏡。【選択図】図１
2015215607.tif 000002
【特許請求の範囲】
【請求項１】
電力供給手段から電力が供給されることで、一方の面（１３ｆ）及び／又は他方の面（１３ｂ）が面状に発光する平板形状の面発光装置（１０）と、
前記面発光装置（１０）の一方の面（１３ｆ）側に取り付けられ、光を反射する反射面（２２ｆ）が形成された鏡部（２０、４２０、５２０、６２０）と、
前記鏡部（２０、４２０、５２０、６２０）に形成され、前記面発光装置（１０）から発光される光を通過させる光通過部（３０、４３０、５３０、６３０）とからなり、
前記光通過部は、絵画、写真、図形、記号、文字及びキャラクターから選択される１種以上を含む模様になるように形成されている
ことを特徴とする発光鏡。
【請求項２】
電力供給手段から電力が供給されることで、一方の面（１３ｆ）及び／又は他方の面（１３ｂ）が面状に発光する平板形状の面発光装置（１０）と、
前記面発光装置（１０）の一方の面（１３ｆ）側に取り付けられ、光の一部を反射し一部を透過させる反射面（７２２ｆ）が形成された鏡部（７２０）と、
前記面発光装置（１０）と前記鏡部（７２０）との間に取り付けられ、光を遮る光不透過部（７７０）と、
前記光不透過部（７７０）に貫通するように形成され、前記面発光装置（１０）から発光される光を通過させる貫通孔（７３０）とからなり、
前記貫通孔（７３０）は、絵画、写真、図形、記号、文字及びキャラクターから選択される１種以上を含む模様になるように形成されている
ことを特徴とする発光鏡。
【請求項３】
電力供給手段から電力が供給されることで、一方の面（９１３ｆ）及び／又は他方の面（９１３ｂ）が面状に発光する平板形状の面発光装置（９１０）と、
前記面発光装置（９１０）の一方の面（９１３ｆ）側に取り付けられ、光の一部を反射し一部を透過させる反射面（９２２ｆ）が形成された鏡部と、
前記面発光装置（９１０）に形成され、光を屈折させる光屈折部（９３０）とからなり、
前記光屈折部（９３０）は、前記面発光装置（９１０）の一方の面（９１３ｆ）、他方の面（９１３ｂ）又は内部（９１３ｉ）に形成された凹凸であり、
前記光屈折部（９３０）は、絵画、写真、図形、記号、文字及びキャラクターから選択される１種以上を含む模様になるように形成されている
ことを特徴とする発光鏡。
【請求項４】
請求項１〜３のいずれか１項に記載された発光鏡であって、
前記面発光装置（１０）は、
一又は複数の光源（１１、１１１）が設置され、前記電力供給手段と電気的に接続された基板（１２、１１２）と、
前記光源（１１、１１１）から発光された光を側面から入射し、前記鏡部（２０、３２０、４２０、５２０）側に照射する導光板（１３）とからなる
ことを特徴とする発光鏡。
【請求項５】
請求項４に記載された発光鏡であって、
前記導光板（１３）には、前記光源（１１、１１１）から受けた光を反射する複数のドットパターン（１４）が形成され、
前記ドットパターン（１４）は、前記導光板（１３）の一方の面又は他方の面に形成されている
ことを特徴とする発光鏡。
【請求項６】
請求項４又は５に記載された発光鏡であって、
前記光源（１１、１１１）は、前記導光板（１３、１１３）の前記側面に沿うように並べられた複数のＬＥＤである
ことを特徴とする発光鏡。
【請求項７】
請求項６に記載された発光鏡であって、
前記鏡部（２０）は、
全部又は一部が光を透過する透明な合成樹脂性の板材である基材部（２１）と、
前記基材部（２１）の一方又は他方の面に設けられ、前記反射面（２２ｆ）を形成する金属製の膜状の金属薄膜部（２２）とからなる
ことを特徴とする発光鏡。
【請求項８】
請求項７に記載された発光鏡であって、
前記金属薄膜部（２２）は、ホットスタンプ、めっき、スパッタリング、蒸着、その他の表面処理から選択される少なくとも一つの加工方法で、前記基材部（２１）に設けられている
ことを特徴とする発光鏡。
【請求項９】
請求項８に記載された発光鏡であって、
前記光通過部（３０）は、
エッチング、切削、その他の除去加工から選択される少なくとも一つの加工方法で、前記金属薄膜部（２２）に形成されている
ことを特徴とする発光鏡。
【請求項１０】
電力供給手段から電力が供給されることで、一方の面（３２０ｆ）及び／又は他方の面（１３ｂ）が面状に発光する平板形状の面発光装置（１０）と、
前記面発光装置（１０）の一方の面（１３ｆ）側に取り付けられ、光を反射する反射面（３２０ｆ）が形成された金属製の鏡部（３２０）と、
前記鏡部（３２０）に貫通するように形成され、前記面発光装置（１０）から発光される光を通過させる貫通孔（３３０）とからなり、
前記貫通孔（３３０）は、絵画、写真、図形、記号、文字及びキャラクターから選択される１種以上を含む模様になるように形成され、
前記反射面（３２０ｆ）は、前記鏡部（３２０）の一方の面を研磨して形成されている
ことを特徴とする発光鏡。
【請求項１１】
請求項１〜１０のいずれか１項に記載された発光鏡であって、
前記面発光装置の裏面には、前記面発光装置の裏面から漏れる光を前記面発光装置側に反射する反射シート（６０）が設置されている
ことを特徴とする発光鏡。
【請求項１２】
請求項１１に記載された発光鏡であって、
前記面発光装置の表面には、前記面発光装置から照射される光を集光する一又は複数の集光シート（２９０）が設置されている
ことを特徴とする発光鏡。
【請求項１３】
請求項１２に記載された発光鏡であって、
前記面発光装置と前記集光シート（２９０）との間には、前記面発光装置から照射される光を拡散させて、光の均一性を向上させる拡散シート（２８０）が設置されている
ことを特徴とする発光鏡。
【発明の詳細な説明】
【技術分野】
【０００１】
本発明は、発光鏡に関する。さらに詳しくは、面発光装置が取り付けられている発光鏡に関する。
【背景技術】
【０００２】
鏡は、使用者が身だしなみを整えたり確かめたりするために、姿見として用いられている。鏡には、家財道具として家の中に設置される化粧台や、持ち運びに便利な手鏡等がある。使用者は、化粧台に設置された鏡を見て化粧をしたり、髪の毛をセットしたり身だしなみを整えるために使用する。手鏡は、手に持って使う携帯可能な小さい鏡であり、あらゆる場所で使用できる。また、鏡は、化粧品を収納する容器に取り付けられてるものがある。さらに、鏡は、携帯電話等を入れるケースに取り付けられたものもある。
【０００３】
現在、鏡には、金属板を磨いたり、ガラス又はプラスチックに金属を蒸着又はめっきをすることで製造されたものがある。また、鏡には、銀鏡反応を利用して薄い銀の膜を貼り付けて製造されたものもある。そして、このように製造された鏡は、台に取り付けられて化粧台として使用されたり、枠に取り付けられて手鏡として使用されている。
【０００４】
使用者は、必ずしも明るい場所で鏡を使用できるわけではなく、鏡そのものや鏡の回りに光を照射する照射装置が取り付けられているものが多くある。例えば、化粧台には、鏡の端に蛍光灯やＬＥＤ照明灯が取り付けられたものがある。また、手鏡には、枠部分等にＬＥＤ照明灯が取り付けられたものがある。使用者は、照明装置が取り付けられた鏡を使用することで、暗い場所でも身だしなみを整えることができる。
【０００５】
一方、鏡には、装飾品としての側面もあり、様々な装飾が施されたものがある。例えば、化粧台や手鏡は、鏡をはめ込む枠に装飾を施したものがある。また、鏡は、絵画、写真、図形、記号、文字及びキャラクター等に印刷を施したものもある。つまり、鏡は、様々な装飾が施されることにより、使用者の好みに応じて選択することができ、購買意欲の促進に繋がっている。このように、鏡には、照明装置が取り付けられたものや、装飾が施されたものがあるが、特許文献を例にとって従来の技術を説明する。
【０００６】
例えば、簡単な構造で、省電力の明るい照明機能と曇り止め機能を併せ持つ鏡（特許文献１参照）が知られている。また、複数のＬＥＤを配置し特定位置への照射や、照度の調整を行うことができる照明付き手鏡が知られている（特許文献２参照）。さらに、実用的な鏡の機能をもつと共に、自然光、照明の違いにより彫刻画像が見える方向、角度の色調がかわり、季節によりその色調を変えることができるミラーが知られている（特許文献３参照）。
【先行技術文献】
【特許文献】
【０００７】
【特許文献１】特許２００８−２２０４９３号公報
【特許文献２】特開２００６−１７５０６５号公報
【特許文献３】特開平１０−１２７４４９号公報
【発明の概要】
【発明が解決しようとする課題】
【０００８】
しかし、特許文献１に記載された照明付き鏡や特許文献２に記載された手鏡は、点光源であるＬＥＤが、決められた位置に配置されているため発光が単調で面白みに欠けるという問題点があった。特許文献３に記載されたミラーは、光源が取り付けられておらず自ら発光しないため、他の光源からの光が照射されなければその色調を変えられないという問題があった。
【０００９】
本発明は、以上のような従来の問題点を解決するために創作されたもので、次の目的を達成する。本発明の目的は、面光源による発光で鏡面から均一の光が照射され、意匠性に優れ様々な模様が形成できる鏡を提供することにある。本発明の他の目的は、面光源の構造が簡単で製造工程が少なく、簡便かつ短時間で製造できる鏡を提供することにある。
【課題を解決するための手段】
【００１０】
本発明は、前記目的を達成するために次の手段をとる。
本発明１の発光鏡は、電力供給手段から電力が供給されることで、一方の面（１３ｆ）及び／又は他方の面（１３ｂ）が面状に発光する平板形状の面発光装置（１０）と、前記面発光装置（１０）の一方の面（１３ｆ）側に取り付けられ、光を反射する反射面（２２ｆ）が形成された鏡部（２０、４２０、５２０、６２０）と、前記鏡部（２０、４２０、５２０、６２０）に形成され、前記面発光装置（１０）から発光される光を通過させる光通過部（３０、４３０、５３０、６３０）とからなり、前記光通過部は、絵画、写真、図形、記号、文字及びキャラクターから選択される１種以上を含む模様になるように形成されていることを特徴とする発光鏡。
【００１１】
本発明２の発光鏡は、
電力供給手段から電力が供給されることで、一方の面（１３ｆ）及び／又は他方の面（１３ｂ）が面状に発光する平板形状の面発光装置（１０）と、前記面発光装置（１０）の一方の面（１３ｆ）側に取り付けられ、光の一部を反射し一部を透過させる反射面（７２２ｆ）が形成された鏡部（７２０）と、前記面発光装置（１０）と前記鏡部（７２０）との間に取り付けられ、光を遮る光不透過部（７７０）と、前記光不透過部（７７０）に貫通するように形成され、前記面発光装置（１０）から発光される光を通過させる貫通孔（７３０）とからなり、前記貫通孔（７３０）は、絵画、写真、図形、記号、文字及びキャラクターから選択される１種以上を含む模様になるように形成されていることを特徴とする。
【００１２】
本発明３の発光鏡は、電力供給手段から電力が供給されることで、一方の面（１３ｆ）及び／又は他方の面（１３ｂ）が面状に発光する平板形状の面発光装置（１０）と、前記面発光装置（１０）の一方の面（１３ｆ）側に取り付けられ、光の一部を反射し一部を透過させる反射面（７２２ｆ）が形成された鏡部と、前記面発光装置（１０）に形成され、光を屈折させる光屈折部（９００）とからなり、前記光屈折部（９００）は、前記面発光装置（１０）の一方の面（１３ｆ）、他方の面（１３ｂ）又は内部（１３ｉ）に形成された凹凸であり、前記光屈折部（９００）は、絵画、写真、図形、記号、文字及びキャラクターから選択される１種以上を含む模様になるように形成されていることを特徴とする。
【００１３】
本発明４の発光鏡は、本発明１〜３のいずれかにおいて、前記面発光装置（１０）は、一又は複数の光源（１１、１１１）が設置され、前記電力供給手段と電気的に接続された基板（１２、１１２）と、前記光源（１１、１１１）から発光された光を側面から入射し、前記鏡部（２０、３２０、４２０、５２０）側に照射する導光板（１３）とからなることを特徴とする。
【００１４】
本発明５の発光鏡は、本発明４において、前記導光板（１３）には、前記光源（１１、１１１）から受けた光を反射する複数のドットパターン（１４）が形成され、前記ドットパターン（１４）は、前記導光板（１３）の一方の面又は他方の面に形成されていることを特徴とする。
【００１５】
本発明６の発光鏡は、本発明４又は５において、前記光源（１１、１１１）は、前記導光板（１３、１１３）の前記側面に沿うように並べられた複数のＬＥＤであることを特徴とする。
【００１６】
本発明７の発光鏡は、本発明６において、前記鏡部（２０）は、全部又は一部が光を透過する透明な合成樹脂性の板材である基材部（２１）と、前記基材部（２１）の一方又は他方の面に設けられ、前記反射面（２２ｆ）を形成する金属製の膜状の金属薄膜部（２２）とからなることを特徴とする。
【００１７】
本発明８の発光鏡は、本発明７において、前記金属薄膜部（２２）は、ホットスタンプ、めっき、スパッタリング、蒸着、その他の表面処理から選択される少なくとも一つの加工方法で、前記基材部（２１）に設けられていることを特徴とする。
【００１８】
本発明９の発光鏡は、本発明８において、前記光通過部（３０）は、エッチング、切削、その他の除去加工から選択される少なくとも一つの加工方法で、前記金属薄膜部（２２）に形成されていることを特徴とする。
【００１９】
本発明１０の発光鏡は、電力供給手段から電力が供給されることで、一方の面（３２０ｆ）及び／又は他方の面（１３ｂ）が面状に発光する平板形状の面発光装置（１０）と、前記面発光装置（１０）の一方の面（１３ｆ）側に取り付けられ、光を反射する反射面（３２０ｆ）が形成された金属製の鏡部（３２０）と、前記鏡部（３２０）に貫通するように形成され、前記面発光装置（１０）から発光される光を通過させる貫通孔（３３０）とからなり、前記貫通孔（３３０）は、絵画、写真、図形、記号、文字及びキャラクターから選択される１種以上を含む模様になるように形成され、前記反射面（３２０ｆ）は、前記鏡部（３２０）の一方の面を研磨して形成されていることを特徴とする。
【００２０】
本発明１１の発光鏡は、本発明１〜１０のいずれかにおいて、前記面発光装置の裏面には、前記面発光装置の裏面から漏れる光を前記面発光装置側に反射する反射シート（６０）が設置されていることを特徴とする。
【００２１】
本発明１２の発光鏡は、本発明１１において、前記面発光装置の表面には、前記面発光装置から照射される光を集光する一又は複数の集光シート（２９０）が設置されていることを特徴とする。
【００２２】
本発明１３の発光鏡は、本発明１２において、前記面発光装置と前記集光シート（２９０）との間には、前記面発光装置から照射される光を拡散させて、光の均一性を向上させる拡散シート（２８０）が設置されていることを特徴とする。
【発明の効果】
【００２３】
本発明の鏡は、面光源による発光で鏡面から均一の光が照射され、意匠性に優れ様々な模様が形成することが可能になった。また、本発明の鏡は、面光源の構造が簡単で製造工程が少なく、簡便かつ短時間で製造が可能になった。
【図面の簡単な説明】
【００２４】
【図１】図１は、本発明の実施の形態１を適用した発光鏡１の使用状態を示した外観図である。
【図２】図２は、発光鏡１の正面図である。
【図３】図３は、図２の発光鏡１をα−α線で切断して、分解した状態を示す断面図である。
【図４】図４は、図３のＲ１を拡大した状態を示す断面図である。
【図５】図５は、図３のＲ２を拡大した状態を示す断面図である。
【００２５】
【図６】図６は、図３のＲ３を拡大した状態を示す断面図である。
【図７】図７は、図３のＲ４を拡大した図であり、枠５０に面発光装置１０、鏡部２０及び裏板６０を組み込んだ状態を示す断面図であり、光の軌跡を模式的に示す模式図である。
【図８】図８は、本発明の実施の形態２を適用した発光鏡１０１の枠１５０のみを示した背面図である。
【図９】図９は、図８のＲ５部分を破断して、右枠１５４に取り付けられた基板１１２の状態を示す外観図である。
【図１０】図１０は、本発明の実施の形態３を適用した発光鏡２０１を分解した状態を示す断面図である。
【００２６】
【図１１】図１１は、本発明の実施の形態４を適用した発光鏡３０１を分解した状態を示す断面図である。
【図１２】図１２は、本発明の実施の形態５を適用した発光鏡４０１の使用状態を示した外観図である。
【図１３】図１３は、発光鏡４０１の表面を現わした正面図である。
【図１４】図１４は、本発明の実施の形態６を適用した発光鏡５０１の使用状態を示した外観図である。
【図１５】図１５は、本発明の実施の形態７を適用した発光鏡６０１を車の室内ＲＭに設置した状態を示す外観図である。
【００２７】
【図１６】図１６は、発光鏡６０１の使用状態を示した外観図である。
【図１７】図１７は、発光鏡６０１の正面図である。発光鏡６０１は、車の後方及び後側方を視認するための車のルームミラーである。
【図１８】図１８は、本発明の実施の形態８を適用した発光鏡７０１を分解した状態を示す断面図である。
【図１９】図１９は、光不透過部７７０の正面図である。
【図２０】図２０は、発光鏡７０１の面発光装置１０が発光していない状態を示した外観図である。
【００２８】
【図２１】図２１は、発光鏡７０１の使用状態を示した外観図である。
【図２２】図２２は、本発明の実施の形態９を適用した発光鏡７０１を分解した状態を示す断面図である。
【図２３】図２３は、図２２のＲ６を拡大した状態を示す断面図である。
【図２４】図２４は、本発明の実施の形態１０を適用した発光鏡９０１を分解した状態を示す断面図である。
【発明を実施するための形態】
【００２９】
〔本発明の実施の形態１〕
以下、本発明の発光鏡１について、図面に基づいて、本発明の実施の形態１として詳細に説明する。図１は、本発明の実施の形態１を適用した発光鏡１の使用状態を示した外観図である。図２は、発光鏡１の正面図である。図３は、図２の発光鏡１をα−α線で切断して、分解した状態を示す断面図である。図４は、図３のＲ１を拡大した状態を示す断面図である。図５は、図３のＲ２を拡大した状態を示す断面図である。図６は、図３のＲ３を拡大した状態を示す断面図である。なお、図３、４、５及び６は、断面の状態をわかりやすく厚みをもたせた模式的な図で記載している。
【００３０】
図１に示すように、矢印Ｆ方向を前方向とし、その逆方向である矢印Ｂ方向を後方向として説明を行う。水平面内で前後方向と直交する一の方向である矢印Ｌ方向を左方向とし、直交する他の方向である矢印Ｒ方向を右方向として説明を行う。前後方向及び左右方向と直交する上側の方向である矢印Ｕ方向を上方向とし、下側の方向である矢印Ｄ方向を下方向として説明を行う。各シートの前方向（矢印Ｆ方向）側の面を表面として、その逆方向である後方向（矢印Ｂ方向）側の面を裏面として説明する。
【００３１】
〔発光鏡１〕
図１及び２に示すように、実施の形態１の発光鏡１は、姿見として使用することができ、装飾物として飾ることもできる置き鏡である。図３に示すように、発光鏡１は、面発光装置１０、鏡部２０、枠５０及び裏板６０とから構成されている。発光鏡１は、図３に示すように、鏡部２０と裏板６０との間に面発光装置１０を挟み、それらを枠５０に組み込んで、図１に示すように、所定の場所に置いて使用される。
【００３２】
〔面発光装置１０〕
面発光装置１０は、図３、４及び５に示すように、ＬＥＤ１１、基板１２及び導光板１３とから構成されている。面発光装置１０は、鏡部２０の外形寸法と同一に形成された略矩形形状の平板である。ＬＥＤ１１は、導光板１３を面発光させるための光源である。ＬＥＤ１１は、特に図示していないが、細長い板状に形成された基板１２に所定の間隔で１４個取り付けられている。ＬＥＤ１１は、図４に示すように、左方向（矢印Ｌ方向）側に向くように設置され、導光板１３の右方向（矢印Ｒ方向）側の側面に向くように基板１２に設置されている。
【００３３】
基板１２は、図４に示すように、導光板１３の右方向（矢印Ｒ方向）側の側面に沿うように導光板１３に取り付けられている。基板１２は、遮光両面テープ４０で導光板１３に貼り合わせられている。基板１２は、特に図示していないが、電源線に接続されており、電力が供給されることでＬＥＤ１１が発光する。電力は、電源線に電源プラグを接続して、電源コンセント等の外部電源から供給しても良いし、電源線に電池を接続して供給しても良い。
【００３４】
なお、特に図示していないが、電源線には、電流のオン、オフを切り替える主電源ボタンが取り付けられている。本例においては、基板１２は、導光板１３の右方向（矢印Ｒ方向）側の側面に取り付けられている。しかし、基板１２は、導光板１３の他の側面に取り付けても良い。本例においてＬＥＤ１１は、基板１２に所定の間隔で１４個取り付けられている。しかし、ＬＥＤ１１は、面発光装置１０の寸法等に応じて、取り付けられる間隔や個数を変えても良いことはいうまでもない。
【００３５】
〔導光板１３〕
導光板１３は、その側面に設置されたＬＥＤ１１から発光された光を鏡部２０側へ照射するための平板である。図３に示すように、導光板１３は、鏡部２０の裏面側を覆うように設置されている。導光板１３は、所定の外形寸法に形成された略矩形形状の平板である。導光板１３は、射出成形により形成されており、全部又は一部が光を透過する透明又は半透明なアクリル樹脂で形成されている。導光板１３の表面には、導光板１３を平面光源化するためのドットパターン１４が形成されている。
【００３６】
〔ドットパターン１４〕
ドットパターン１４は、ＬＥＤ１１から照射された光を反射して、導光板１３を平面光源化するための反射部材である。図４及び５に示すように、本例において、ドットパターン１４は、射出成形で製造される導光板１３に一体に形成されている。ドットパターン１４は、導光板１３の表面１３ｆから前方向（矢印Ｆ方向）側に突出するように形成された微細なレンズの集りで形成されている。例えば、ドットパターン１４は、図４に示すように、ＬＥＤ１１の近い部分では疎らになるように設置されている。
【００３７】
図５に示すように、ドットパターン１４は、ＬＥＤ１１より離れた部分では密になるように設置されている。ドットパターン１４は、導光板１３と同様に全部又は一部が光を透過する透明又は半透明なアクリル樹脂で形成されている。このようにドットパターン１４が設置されていることにより、導光板１３には光が効率良く均一に行き渡り、導光板１３が平面光源化する。なお、導光板１３に設置されるレンズの径は、例えば、ＬＥＤ１１に近い部分では小さくし、離れている部分では大きくしても良い。
【００３８】
〔鏡部２０〕
図３に示すように、鏡部２０は、面発光装置１０の外形寸法と同一に形成された略矩形形状の鏡である。 鏡部２０は、面発光装置１０の表面側を覆うように設置されている。鏡部２０は、基材部２１と光を反射する蒸着部２２とから構成されている。基材部２１は、全部又は一部が光を透過する透明又は半透明なアクリル樹脂で形成されている。蒸着部２２は、基材部２１の表面にアルミニウム等の金属を蒸着して薄い膜状に形成されている。蒸着部２２は、その表面が光を反射し、その正面に置かれたもの等を映し出す反射面２２ｆが形成されている。鏡部２０には、一又は複数の光通過部３０が形成されている。
【００３９】
〔光通過部３０〕
図６に示すように、光通過部３０は、ＬＥＤ１１から照射された光を通すための一又は複数の穴である。光通過部３０は、図６に示すように、有底の穴であり、底の部分が透明な基材部２１となる。光通過部３０は、蒸着部２２を化学的な腐食作用を利用して溶解するエッチングで加工され、図１及び２に示すように、ビル群の模様に形成されている。エッチング加工で蒸着部２２に光通過部３０を形成する工程を、感光性レジストを使用する場合を例にして、より詳しく説明をする。まず、フォトレジストが、蒸着部２２の表面に塗布される。
【００４０】
ビル群の模様が形成されているレジストマスクが、フォトレジストの表面に貼られる。レジストマスクが貼られたフォトレジストは、水銀灯等で露光されてエッチングパターンが形成される。レジストマスクを、エッチングパターンが形成されたフォトレジストから剥がす。このとき、蒸着部２２の表面は、ビル群のエッチングパターンが形成されたフォトレジストが貼られた状態になる。
【００４１】
エッチング用の溶液を蒸着部２２にかけると、蒸着部２２がエッチングされる。つまり、蒸着部２２には、複数の光通過部３０が形成される。最後に、蒸着部２２からフォトレジストを除去して洗浄する。このような工程を経て、蒸着部２２には、ビル群の模様をあらわす複数の光通過部３０が形成される。
【００４２】
〔遮光両面テープ４０〕
図４及び５に示すように、遮光両面テープ４０は、基板１２と導光板１３とを貼り合わせ、面発光装置１０と鏡部２０を貼り合わせるための粘着テープである。また、遮光両面テープ４０は、ＬＥＤ１１から発光された光を遮り、光源であるＬＥＤ１１の位置を視認しづらくするために貼られている。また、遮光両面テープ４０は、ＬＥＤ１１からの照射角が狭いために生じる暗部（輝度ムラ）を隠すために貼られている。
【００４３】
遮光両面テープ４０は、図４に示すように、ＬＥＤ１１の前方向（矢印Ｆ方向）側を覆うように形成されている。遮光両面テープ４０は、図４及び５に示すように、面発光装置１０と鏡部２０の輪郭を縁取るように貼り付けられている。遮光両面テープ４０は、光を吸収又は遮るポリエチレンテレフタレート（以下、単に「ＰＥＴ」という。）フィルム等とアクリル系粘着剤から構成されている。
【００４４】
〔枠５０〕
枠５０は、面発光装置１０、鏡部２０及び裏板６０を収納し支える木製の骨組みであり、図１及び２に示すように、上枠５１、下枠５２、左枠５３及び右枠５４とから構成されている。右枠５４は、図３に示すように、断面からみると略Ｌ字形状に形成されている。左枠５３は、図３に示すように、断面からみると略Ｌ字形状に形成されている。上枠５１及び下枠５２も、図示していないが、右枠５４や左枠５３と同様に、断面からみると略Ｌ字形状に形成されている。上枠５１、下枠５２、左枠５３及び右枠５４とが組み合わせられると、図１及び２に示すような、矩形形状の枠５０となり、矩形形状の開口５０ｈが形成される。
【００４５】
開口５０ｈは、その内形寸法が鏡部２０の外形寸法より小さく形成されている。右枠５４には、図３に示すように、鏡部２０、面発光装置１０及び裏板６０を載置するための平面である右枠載置部５４ｃが形成されている。右枠載置部５４ｃは、図３に示すように、右枠５４の開口５０ｈ側に形成され、裏側から表側にかけて低くなるように形成された段差である。
【００４６】
左枠５３には、図３に示すように、右枠５４と同様に開口５０ｈ側に、左枠載置部５３ｃが形成されている。上枠５１と下枠５２にも、特に図示していないが、右枠５４と同様に開口５０ｈ側に、それぞれ上枠載置部と下枠載置部が形成されている。枠５０は、上枠載置部、下枠載置部、左枠載置部５３ｃ及び右枠載置部５４ｃが組み合わせられて、載置部が形成される。載置部は、その内形寸法が鏡部２０の外形寸法と同一又はやや大きくなるように形成されている。
【００４７】
図３に示すように、右枠５４には、留具８０が取り付けられている。留具８０は、右枠５４に面発光装置１０、鏡部２０及び裏板６０を固定するための部品である。留具８０は、右枠５４に例えばネジ止めして固定され、回転させることで面発光装置１０、鏡部２０及び裏板６０の着脱をすることができる。留具８０は、図３に示すように、左枠５３にも取り付けられ、特に図示していないが、上枠５１及び下枠５２にも取り付けられている。
【００４８】
〔裏板６０〕
裏板６０は、面発光装置１０及び鏡部２０を裏から押さえるための木製の白色に塗られた平板である。裏板６０は、面発光装置１０から照射された光を反射する反射板としての性質ももつ。図３に示すように、裏板６０は、面発光装置１０の裏面側を覆うように設置されている。裏板６０は、面発光装置１０の外形寸法と同一に形成されており、発光鏡１を立てかけて飾ることができるように支持板（図示せず）が取り付けられている。なお、裏板６０は、光の反射の効率等に応じて、アルミニウム板、アルミニウム箔、ポリエステルフィルム等の他の部材であっても良い。
【００４９】
〔発光鏡１の使用方法〕
次に、発光鏡１の使用方法について図７に基づいて説明する。図７は、図３のＲ４を拡大した図であり、枠５０に面発光装置１０、鏡部２０及び裏板６０を組み込んだ状態を示す断面図であり、光の軌跡を模式的に示す模式図である。なお、図７において、光の軌跡を明確にするため、導光板１３と基材部２１のハッチングは省略した。また、図７において、アルファベットの小文字が付された矢印が、模式的に示す光の軌跡である。発光鏡１は、図１に示すように、平らな載置面（例えば、机等）に載置されて飾られる。
【００５０】
発光鏡１は、主電源ボタンをＯＮにすることで電力がＬＥＤ１１に供給され、図７に示すように、ＬＥＤ１１が発光する（例えば、矢印ａ、ｂ、ｃ参照）。導光板１３の一の側面から入射した光は、導光板１３の内部で表面１３ｆ側と裏面１３ｂ側に向かう（例えば、矢印ｂ、ｃ参照）。表面１３ｆ側に向かった光は、鏡部２０を照射する（例えば、矢印ｄ参照）。裏面１３ｂ側に向かった光は、裏板６０で反射され、導光板１３を経由して鏡部２０を照射する（例えば、矢印ｆ、ｆ’参照）。
【００５１】
ドットパターン１４に向かった光は、ドットパターン１４で乱反射されて、裏面１３ｂ側に向かい裏板６０を照射する（例えば、矢印ｅ、ｅ’参照）。ドットパターン１４は、図４に示すように、ＬＥＤ１１に近い部分では疎らになるように設置されている。ドットパターン１４は、図５に示すように、ＬＥＤ１１より離れた部分では密になるように設置されている。導光板１３の表面１３ｆは、このようにドットパターン１４が設置されているため、光源であるＬＥＤ１１の近い部分でも、離れている部分でも均一な光を照射する。
【００５２】
このように導光板１３の表面１３ｆは、輝度ムラのない均一な面発光をするので、鏡部２０は、その裏面全体に対して光がまんべんなく照射される。なお、表面１３ｆ側に向かった光は、遮光両面テープ４０で反射される（例えば、矢印ｇ、ｇ’参照）。遮光両面テープ４０は、ＬＥＤ１１から発光された光を遮り、光源であるＬＥＤ１１の位置を視認しづらくする。遮光両面テープ４０は、ＬＥＤ１１からの照射角が狭いために生じる暗部（輝度ムラ）を隠す。
【００５３】
面発光装置１０は、様々な角度から光を鏡部２０の裏面を照射する（例えば、矢印ｄ参照）。鏡部２０に照射された光は、透明な基材部２１を通過し（例えば、矢印ｈ参照）、蒸着部２２に照射される（例えば、矢印ｊ、ｋ、ｍ参照）。蒸着部２２に照射された光は、光通過部３０に照射されたものは光通過部３０を通過し（例えば、矢印ｊ、ｊ’ｋ、ｋ’参照）、それ以外のものは反射される（例えば、矢印ｍ、ｍ’参照）。このように、鏡部２０は、様々な角度から光を照射されて、光通過部３０から光が漏れる（例えば、矢印ｎ、ｐ参照）。
【００５４】
図１に示すように、光通過部３０から漏れた光は、輝度ムラのない均一なビル群の模様として光る。導光板１３から照射された光は、輝度ムラのない均一な面発光であり、点光源で照射された場合と異なり、一部が明るすぎたり、一部が暗すぎたりしない。そして、発光鏡１は、構成が単純で部品点数が少なく、組み立てが容易である。このように形成された発光鏡１は、反射面２２ｆが姿見としても使用できるし、光通過部３０から漏れる光が模様となる意匠性が高い飾りとしても使用できる。
【００５５】
〔本発明の実施の形態２〕
次に、本発明の実施の形態２を図面に基づいて詳細に説明する。図８は、本発明の実施の形態２を適用した発光鏡１０１の枠１５０のみを示した背面図である。図９は、図８のＲ５部分を破断して、右枠１５４に取り付けられた基板１１２の状態を示す外観図である。なお、この実施の形態２の発光鏡１０１は、前述した実施の形態１の発光鏡１とほぼ同様の構成であり、異なる構成の説明をする。つまり、発光鏡１０１は、基板１１２が取り付けられている箇所が異なるのでこの部分の説明を行う。
【００５６】
図８及び図９に示すように、右枠１５４には、基板１１２を収納するための光源収納部１５４ｒが形成されている。光源収納部１５４ｒは、図８に示すように、右枠１５４の一端から他端にかけて細長い矩形形状に形成され、図９に示すように、右枠載置部１５４ｃに隣接するように形成された溝である。図８及び９に示すように、光源収納部１５４ｒには、基板１１２が収納されている。
【００５７】
実施の形態１の発光鏡１は面発光装置１０に基板１２が取り付けられているが、実施の形態２の発光鏡１０１は、基板１１２が右枠１５４に取り付けられている。つまり、光源であるＬＥＤ１１１が、枠１５０に取り付けられている。枠１５０に収納する鏡部と導光板には、基板や電源線が不要であり、簡単な構造になる。このため、実施の形態２の発光鏡１０１は、様々な模様の鏡部に交換することが可能になる。
【００５８】
〔本発明の実施の形態３〕
次に、本発明の実施の形態３を図面に基づいて詳細に説明する。図１０は、本発明の実施の形態３を適用した発光鏡２０１を分解した状態を示す断面図である。なお、実施の形態３の発光鏡２０１は、前述した実施の形態１の発光鏡１を利用する発明である。つまり、発光鏡２０１は、発光鏡１に拡散シート２８０と、集光シート２９０をさらに加えた構成を有する。このため、発光鏡１とは異なる構成である拡散シート２８０と集光シート２９０についてのみ説明を行う。
【００５９】
〔拡散シート２８０〕
拡散シート２８０は、面発光装置１０から照射される光の均一性を向上させるためのシートである。図１０に示すように、拡散シート２８０は、面発光装置１０と集光シート２９０との間に取り付けられている。拡散シート２８０は、面発光装置１０と同一の寸法である略矩形形状に形成されている。拡散シート２８０は、拡散コーティングされた半透明のポリエステルフィルム等から形成されている。
【００６０】
発光鏡２０１は、拡散シート２８０が取り付けられているため、発光鏡１と比較して、端部まで均一に明るさが保たれる。つまり、面発光装置１０から拡散シート２８０に光が照射されると、照射された光は四方八方へ拡散された後に、集光シート２９０で集光される。このため、発光鏡３０１は、発光鏡１と比較して、均一な光が照射される。
【００６１】
なお、拡散シート２８０は、照射された光を拡散すれば良く、拡散コーティングされたものに限らない。例えば、拡散シート２８０は、表面又は裏面に細かい凹凸が形成されて、照射された光を四方八方へ拡散するものでも良い。また、拡散シート２８０は、乳白ガラスや白色塗装面のように、透明体に屈折率の異なる微粒子を混入して、照射された光を拡散するものでも良い。
【００６２】
〔集光シート２９０〕
集光シート２９０は、面発光装置１０から照射される光を一の方向に集めて、鏡部２０に光を効率よく照射するための透明なシートである。本例においては、集光シート２９０は、光が集光シート２９０の表面に直交する方向に照射するように集められる。集光シート２９０は、鏡部２０と拡散シート２８０の間に取り付けられている。集光シート２９０は、微細な三角柱が並列するように形成されているアクリル樹脂製のプリズムシート等から構成されている（図示せず）。このような集光シート２９０は、２枚のプリズムシートの三角柱が交差するように重ねたものでも良い。
【００６３】
なお、集光シート２９０は、微細な三角柱が並列されたものに限らず、微細な楕円柱が並列されているもの等でも良い。実施の形態３の発光鏡２０１は、拡散シート２８０と集光シート２９０とが取り付けられている。このため、発光鏡２０１は、実施の形態１の発光鏡１と比較すると、光が均一に照射され、鏡部２０の表面に直交する方向に照射される。
【００６４】
〔本発明の実施の形態４〕
次に、本発明の実施の形態４を図面に基づいて詳細に説明する。図１１は、本発明の実施の形態４を適用した発光鏡３０１を分解した状態を示す断面図である。なお、実施の形態４の発光鏡３０１は、前述した実施の形態１の鏡部２０を異なる鏡である鏡部３２０とする発明である。このため、発光鏡１とは異なる構成である鏡部３２０についてのみ説明を行う。
【００６５】
図１１に示すように、鏡部３２０は、面発光装置１０の外形寸法と同一に形成された略矩形形状の鏡である。鏡部３２０は、アルミニウム等の一枚の金属板で形成されている。鏡部３２０は、その表面が光を反射し、その正面に置かれたもの等を映し出す反射面３２０ｆが形成されている。反射面３２０ｆは、鏡部３２０の表面を研磨することで形成されている。
【００６６】
鏡部３２０には、一又は複数の貫通孔３３０が形成されている。図１１に示すように、貫通孔３３０は、面発光装置１０から照射された光を通すための一又は複数の孔である。貫通孔３３０は、鏡部３２０を打ち抜き等のせん断加工を利用して、所定の模様に形成されている。実施の形態４の発光鏡３０１は、鏡部３２０が一枚の金属板でのみ形成されている。このため、発光鏡３０１は、実施の形態１の発光鏡１と比較すると、部品点数が少なく製造が容易である。
【００６７】
〔本発明の実施の形態５〕
次に、本発明の実施の形態５を図面に基づいて詳細に説明する。図１２は、本発明の実施の形態５を適用した発光鏡４０１の使用状態を示した外観図である。図１３は、発光鏡４０１の表面を現わした正面図である。なお、発光鏡４０１は、前述した実施の形態１から４の発光鏡１、１０１、２０１、３０１が置き鏡であるのに対し、持ち運びが自由な手鏡である点が異なる。このため、発光鏡４０１については、発光鏡１、１０１、２０１、３０１と異なる構成の説明のみをする。
【００６８】
図１２及び１３に示すように、枠４５０は、面発光装置（図示せず）、鏡部４２０及び裏板（図示せず）を収納し支える装飾が施された木製の骨組みである。枠４５０は、上枠４５１、下枠４５２、左枠４５３及び右枠４５４とから構成されている。下枠４５２には、手で持つため棒状の柄部４５５が取り付けられている。鏡部４２０には、一又は複数の光通過部４３０が形成されている。なお、光通過部４３０は、実施の形態１から４の発光鏡１、１０１、２０１、３０１と模様は異なるが、構成や製造方法はほぼ同様なものであるため、説明は省略する。
【００６９】
発光鏡４０１は、持ち運びをするため、電源プラグではなく電池から供給されるように構成されている。例えば、発光鏡４０１は、柄４１０の部分に電池ボックス（特に図示せず）を取り付けて、そこに入れられた電池から電力を供給されると良い。このように形成された発光鏡４０１は、姿見としてどこでも使用できるし、光通過部４３０から漏れる光が模様となるため意匠性が高いうえに、持ち運びが自由である。
【００７０】
〔本発明の実施の形態６〕
次に、本発明の実施の形態６を図面に基づいて詳細に説明する。図１４は、本発明の実施の形態６を適用した発光鏡５０１の使用状態を示した外観図である。発光鏡５０１は、スマートフォンＳＰ等の携帯電話を入れるケースＣＳに取り付けられている。なお、発光鏡５０１は、前述した実施の形態５と同様に持ち運びが自由な点が同じである。このため、発光鏡５０１については、発光鏡４０１と異なる構成の説明のみをする。
【００７１】
図１４に示すように、枠５５０は、面発光装置（図示せず）、鏡部５２０及び裏板（図示せず）を収納し支える装飾が施された合成樹脂製の骨組みである。枠５５０は、上枠５５１、下枠５５２、左枠５５３及び右枠５５４とから構成されている。鏡部５２０には、一又は複数の光通過部５３０が形成されている。なお、光通過部５３０は、実施の形態１から４の光通過部３０、４３０と模様は異なるが、構成や製造方法はほぼ同様なものであるため、説明は省略する。発光鏡５０１は、発光鏡４０１と同様に電池から電力を供給されるように構成してもよい。また、発光鏡５０１は、携帯電話から電力を供給できるように構成しても良い。
【００７２】
〔本発明の実施の形態７〕
次に、本発明の実施の形態７を図面に基づいて詳細に説明する。図１５は、本発明の実施の形態７を適用した発光鏡６０１を車の室内ＲＭに設置した状態を示す外観図である。図１６は、発光鏡６０１の使用状態を示した外観図である。図１７は、発光鏡６０１の正面図である。発光鏡６０１は、車の後方及び後側方を視認するための車のルームミラーである。
【００７３】
なお、この実施の形態７の発光鏡６０１は、前述した実施の形態６の発光鏡５０１とほぼ同様の構成であり、異なる構成のみ説明をする。つまり、発光鏡６０１は、発光鏡５０１と比較すると、形状、材質及び車に取り付けられている点が異なるので、この部分の説明を行なう。発光鏡６０１は、図１５に示すように、車の室内ＲＭのフロントガラスの上部に直接取り付けられている。
【００７４】
発光鏡６０１は、鏡部６２０、面発光装置（図示せず）、枠６５０及び支持部６５５とから構成されている。枠６５０は、鏡部６２０及び面発光装置を収納する合成樹脂製の枠組みであり、支持部６５５と一体に構成されている。支持部６５５は、枠６５０を支持する部材であり、一端がフロントガラスの上部に取り付けられ、他端が枠６５０に取り付けられている。支持部６５５は、運転者にとって鏡部６２０を見やすい位置にくるように、所定の長さを有している。
【００７５】
図１６に示すように、鏡部６２０には、一又は複数の光通過部６３０が形成され、猫、ハート及び草花などの模様が形成されている。なお、光通過部６３０は、実施の形態１から５の光通過部３０、４３０、５３０と模様は異なるが、構成や製造方法はほぼ同様なものであるため、説明は省略する。鏡部６２０は、距離感を把握する場合には平面鏡を、広い視認性を得るためには凸面鏡を用いる。鏡部６２０は、ひとつの鏡の曲率を途中で変化させ、視野を広げるように形成しても良い。
【００７６】
発光鏡６０１は、車から電力を供給できるように構成しても良いし、発光鏡４０１と同様に電池から電力を供給されるように構成してもよい。なお、本例において、発光鏡６０１は、車の室内ＲＭに直接取り付けられるものについて説明をした。しかし、発光鏡６０１は、車の室内ＲＭにもともと取り付けられているルームミラーに取り外し自由なものでも良い。
【００７７】
〔本発明の実施の形態８〕
次に、本発明の実施の形態８を図面に基づいて詳細に説明する。図１８は、本発明の実施の形態８を適用した発光鏡７０１を分解した状態を示す断面図である。図１９は、光不透過部７７０の正面図である。図２０は、発光鏡７０１の面発光装置１０が発光していない状態を示した外観図である。図２１は、発光鏡７０１の使用状態を示した外観図である。なお、実施の形態８の発光鏡７０１は、前述した実施の形態１の発光鏡１を利用する発明である。つまり、鏡部７２０をいわゆるマジックミラーにし、光不透過部７７０をさらに加えた構成である。このため、発光鏡１とは異なる構成である鏡部７２０と光不透過部７７０についてのみ説明を行う。
【００７８】
〔鏡部７２０〕
鏡部７２０は、明るい側からは鏡に見えるが、暗い側からは向こうが見える、いわゆるマジックミラーである。図１８に示すように、鏡部７２０は、基材部７２１、蒸着部７２２及び保護部７２３とから構成されている。基材部７２１は、全部又は一部が光を透過する透明又は半透明なアクリル樹脂で形成されている。蒸着部７２２は、基材部７２１の裏面にアルミニウム等の金属を蒸着して薄い膜状に形成されている。
【００７９】
蒸着部７２２は、照射された光の一部を反射し、一部を透過させるように、実施の形態１の蒸着部２２より薄く形成されている。蒸着部７２２は、目的に応じて、その反射率や透過率を変えることができる。例えば、鏡に近づけたければ、蒸着部７２２の透過率を低く、反射率を高くすれば良い。保護部７２３は、蒸着部７２２の劣化を防ぐための保護部材である。保護部７２３は、光が透過するように透明な樹脂塗料（例えば、ワニス）を、蒸着部７２２の裏面に塗装することで形成されている。
【００８０】
〔光不透過部７７０〕
図１９に示すように、光不透過部７７０は、面発光装置１０から発光される光を遮る部材である。図１８に示すように、光不透過部７７０は、面発光装置１０と前記鏡部７２０との間に取り付けられ、光を吸収又は遮るＰＥＴフィルム等から構成されている。鏡部７２０には、一又は複数の貫通孔７３０が形成されている。図１９に示すように、貫通孔７３０は、面発光装置１０から照射された光を通すための一又は複数の孔である。貫通孔７３０は、光不透過部７７０を打ち抜き等のせん断加工を利用して、図１９に示すように、キャラクター等の模様に形成されている。
【００８１】
〔発光鏡７０１の使用方法〕
次に、発光鏡７０１の使用方法について図２０及び２１に基づいて説明する。発光鏡７０１は、発光鏡１とほぼ同様の構成のため、使用方法については異なる部分についてのみ説明を行う。発光鏡７０１は、主電源ボタンがＯＦＦのときは、図２０に示すように、単なる鏡として機能する。なお、図２０においては、光不透過部７７０に形成された貫通孔７３０が破線で表されているが、使用者からは見えていない。発光鏡７０１は、主電源ボタンをＯＮにすることで電力がＬＥＤ１１に供給され、導光板１３の表面１３ｆは、輝度ムラのない均一な面発光をする。
【００８２】
面発光装置１０は、発光すると光を光不透過部７７０の裏面を照射する。光不透過部７７０に照射された光は、貫通孔７３０に照射されたものは貫通孔７３０を通過し、それ以外のものは遮られる。面発光装置１０から照射された光は、その一部が光不透過部７７０に遮られるため、貫通孔７３０のキャラクターの模様の形状となり、鏡部７２０に照射される。鏡部７２０に照射された光は、透明な保護部７２３を通過し、蒸着部７２２に照射される。
【００８３】
蒸着部７２２は、いわゆるマジックミラーであるため、照射された光は、その一部が反射され、一部が透過する。蒸着部７２２を透過した光は、キャラクター模様の形状を保ったまま、透明な基材部７２１を通過する。図２１に示すように、面発光装置１０から照射された光は、光不透過部７７０及び鏡部７２０を介して、キャラクターの模様の形状が鏡部７２０から浮き出るように発光する。
【００８４】
図２１に示すように、発光鏡７０１は、鏡部７２０がいわゆるマジックミラーで形成されているため、貫通孔７３０に対応する箇所は模様が浮き出るように発光し、貫通孔７３０に対応しない箇所は相変わらず鏡として機能する。使用者は、面発光装置１０を発光させていないときは模様を見ることができないが、発光させると模様が鏡部７２０に浮き出るように発光すること視認できる。このため、使用者は、発光鏡７０１に対して、視覚的に非常に美しく、幻想的な印象を受ける。
【００８５】
また、実施の形態８の発光鏡７０１は、光不透過部７７０を打ち抜き等のせん断加工を利用して模様が形成されている。発光鏡７０１は、実施の形態１の発光鏡１と比較して、エッチング等の化学的な処理を施すことなく製造することができる。このため、発光鏡７０１は、環境を汚染する汚染物質の処理等をすることなく、製造することができる。
【００８６】
〔本発明の実施の形態９〕
次に、本発明の実施の形態９を図面に基づいて詳細に説明する。図２２は、本発明の実施の形態９を適用した発光鏡８０１を分解した状態を示す断面図である。図２３は、図２２のＲ６を拡大した状態を示す断面図である。なお、実施の形態９の発光鏡８０１は、前述した実施の形態１の発光鏡１を利用する発明である。つまり、鏡部８２０の蒸着部８２２を保護する保護部８２３をさらに加え、面発光装置１０のドットパターン１４を１３ｂ側に設置している。このため、発光鏡１とは異なる構成である鏡部８２０とドットパターン１４についてのみ説明を行う。
【００８７】
〔鏡部８２０〕
鏡部８２０は、面発光装置１０の外形寸法と同一に形成された略矩形形状の鏡である。鏡部８２０は、面発光装置１０の表面側を覆うように設置されている。鏡部８２０は、基材部８２１、蒸着部８２２及び保護部８２３とから構成されている。基材部８２１は、全部又は一部が光を透過する透明又は半透明なアクリル樹脂で形成されている。蒸着部８２２は、基材部８２１の裏面にアルミニウム等の金属を蒸着して薄い膜状に形成されている。
【００８８】
蒸着部８２２は、その表面が光を反射し、その正面に置かれたもの等を映し出す反射面８２２ｆが形成されている。鏡部８２０には、一又は複数の光通過部８３０が形成されている。保護部８２３は、蒸着部８２２の劣化を防ぐための保護部材である。保護部８２３は、蒸着部８２２の裏面に銅等の金属を蒸着して薄い膜状に形成されている。保護部８２３には、一又は複数の光通過部８３０’が形成されている。光通過部８３０及び光通過部８３０’は、実施の形態１の光通過部３０と同様にエッチング加工で形成されている。
【００８９】
〔ドットパターン８１４〕
ドットパターン８１４は、ＬＥＤ１１から照射された光を反射して、導光板１３を平面光源化するための反射部材である。図２３に示すように、本例において、ドットパターン８１４は、射出成形で製造される導光板１３に一体に形成されている。ドットパターン８１４は、導光板１３の裏面１３ｂから後方向（矢印Ｂ方向）側に突出するように形成された微細なレンズの集りで形成されている。発光鏡８０１は、鏡部８２０に保護部８２３が形成されているため、実施の形態１の発光鏡１と比較して、蒸着部８２２の劣化を防ぐことができる。
【００９０】
〔本発明の実施の形態１０〕
次に、本発明の実施の形態１０を図面に基づいて詳細に説明する。図２４は、本発明の実施の形態１０を適用した発光鏡９０１を分解した状態を示す断面図である。なお、実施の形態１０の発光鏡９０１は、前述した実施の形態８の発光鏡７０１を利用する発明である。つまり、発光鏡９０１は、発光鏡７０１のように光不透過部７７０を使用しない点及び、導光板９１３には、ドットパターン１４が形成されていない点が異なるのでこの部分の説明を行なう。導光板９１３の表面９１３ｆには、一又は複数の光屈折部９３０が形成されている。
【００９１】
光屈折部９３０は、ＬＥＤ１１から照射された光を、鏡部９２０側に屈折させるために、表面９１３ｆに表面処理を施して形成された凹凸である。光屈折部９３０は、レーザー彫刻によって、表面９１３ｆに彫刻を施すことで、例えばキャラクター等の模様に形成されている。なお、表面９１３ｆに光屈折部９３０を施すための表面処理としては、レーザー彫刻以外に、切削加工、研削加工、研磨加工、及びブラスト加工等を使用しても良い。なお、本例においては、表面９１３ｆに光屈折部９３０が形成されているが、導光板９１３の裏面９１３ｂや導光板９１３の内部９１３ｉに形成されていても良い。
【００９２】
〔発光鏡９０１の使用方法〕
発光鏡９０１は、発光鏡７０１とほぼ同様の構成のため、使用方法については異なる部分についてのみ説明を行う。発光鏡９０１は、主電源ボタンがＯＦＦのときは、単なる鏡として機能する（図２０参照）。発光鏡９０１は、主電源ボタンをＯＮにすることで電力がＬＥＤ１１に供給されるが、ドットパターン１４がないため全体が面発光をせず、光屈折部９３０が形成されている箇所のみ面発光する。つまり、ＬＥＤ１１から照射された光は、光屈折部９３０で鏡部９２０側に屈折するため、光屈折部９３０が形成されている箇所のみ面発光する。
【００９３】
ＬＥＤ１１から照射された光は、光屈折部９３０が形成されている箇所のみ面発光するため、光屈折部９３０のキャラクター等の模様の形状となり、鏡部９２０に照射される。発光鏡９０１は、発光鏡７０１と同様に、鏡部９２０がいわゆるマジックミラーで形成されているため、光屈折部９３０に対応する箇所は模様が浮き出るように発光し、光屈折部９３０に対応しない箇所は相変わらず鏡として機能する。発光鏡９０１は、実施の形態８の発光鏡７０１と比較して、光不透過部７７０を使用することなく製造することができる。このため、発光鏡９０１は、発光鏡７０１と比較して、部品点数を少なく製造することができる。
【００９４】
以上、本発明の種々の実施の形態を説明したが、本発明は、この実施の形態に限定されることはない。本発明の目的、趣旨を逸脱しない範囲内での変更が可能なことはいうまでもない。本例において、発光鏡１、１０１、２０１、３０１は、いわゆる置き鏡で説明をし、発光鏡４０１は手鏡で説明し、発光鏡５０１は携帯電話のケースに取り付けられた鏡で説明をした。また、発光鏡６０１は、車のルームミラーで説明をした。しかし、他の鏡であっても良く、様々なものに取り付けられても良いことはいうまでもない。例えば、化粧等に使用されるコンパクトに取り付けられても良い。
【００９５】
枠５０は、木製のもので説明したが、他の部材であっても良く、例えば、押出成形されたアルミニウムを使用しても良い。光源としては、点光源であるＬＥＤ１１、１１１を使用したが、点光源に限らず、光源として冷陰極管等の線光源を使用しても良い。ドットパターン１４は、表面ではなく、裏面に形成されても良い。また、ドットパターン１４は、導光板１３に一体に形成されているが他の方式で形成されていても良い。
【００９６】
例えば、導光板１３の底面にスタンパーやインジェクションで凹凸をつけてドットパターンを形成しても良いし、印刷で白いドットパターンを形成しても良い。なお、ドットパターン１４の形状としては、凸レンズ形状に限らず、例えば、円形、楕円形、方形、三角形、多角形等でも良い。つまり、導光板１３の内部を移動して光を出射する面に導けるものであれば、ドットパターン１４はどのような形状でも良い。
【００９７】
なお、本例において、鏡部２０の基材部２１は、アクリル樹脂で形成されているが、ポリ塩化ビニル、ポリスチレン、ＡＢＳ樹脂、ポリカーボネイト、ポリプロピレン等の他の合成樹脂であっても良い。また、基材部２１をガラスにしても良い。蒸着部２２は、アルミニウムで形成されているたが、銀や錫等の他の金属を蒸着して形成しても良い。また、鏡部２０は、蒸着ではなく銀鏡反応を利用して形成しても良い。
【００９８】
模様となる光通過部３０は、基材部２１に蒸着されている蒸着部２２をエッチングすることで加工されている。しかし、蒸着部２２は、レーザーで切り取って模様を加工しても良い。また、ホットスタンプ箔を基材部２１に貼り、加圧、加熱することによって金属調の模様等を基材部２１に転写して加工する方法でも良い。
【符号の説明】
【００９９】
１        ：発光鏡
１０      ：面発光装置
１１      ：ＬＥＤ
１２      ：基板
１３      ：導光板
１４      ：ドットパターン
２０      ：鏡部
２１      ：基材部
２２      ：蒸着部
３０      ：光通過部
４０      ：遮光両面テープ
５０      ：枠
５１      ：上枠
５２      ：下枠
５３      ：左枠
５４      ：右枠
６０      ：裏板
８０      ：留具
１０１    ：発光鏡
１１１    ：ＬＥＤ
１１２    ：基板
１５０    ：枠
１５４    ：右枠
２０１    ：発光鏡
２８０    ：拡散シート
２９０    ：集光シート
３０１    ：発光鏡
３２０    ：鏡部
３３０    ：貫通孔
４０１    ：発光鏡
４１０    ：柄
４２０    ：鏡部
４３０    ：光通過部
４５０    ：枠
４５１    ：上枠
４５２    ：下枠
４５３    ：左枠
４５４    ：右枠
４５５    ：柄部
５０１    ：発光鏡
５２０    ：鏡部
５３０    ：光通過部
５５０    ：枠
５５１    ：上枠
５５２    ：下枠
５５３    ：左枠
５５４    ：右枠
６０１    ：発光鏡
６２０    ：鏡部
６３０    ：光通過部
６５０    ：枠
６５５    ：支持部
７０１    ：発光鏡
７２０    ：鏡部
７２１    ：基材部
７２２    ：蒸着部
７２３    ：保護部
７３０    ：貫通孔
７７０    ：光不透過部
８０１    ：発光鏡
８１４    ：ドットパターン
８２０    ：鏡部
８２１    ：基材部
８２２    ：蒸着部
８２３    ：保護部
８３０    ：光通過部
８３０’  ：光通過部
９０１    ：発光鏡
９１０    ：面発光装置
９１３ｆ  ：表面
９２０    ：鏡部
９３０    ：光屈折部
【図２】
2015215607.tif 000003
【図３】
2015215607.tif 000004
【図４】
2015215607.tif 000005
【図５】
2015215607.tif 000006
【図６】
2015215607.tif 000007
【図７】
2015215607.tif 000008
【図８】
2015215607.tif 000009
【図９】
2015215607.tif 000010
【図１０】
2015215607.tif 000011
【図１１】
2015215607.tif 000012
【図１３】
2015215607.tif 000013
【図１４】
2015215607.tif 000014
【図１５】
2015215607.tif 000015
【図１８】
2015215607.tif 000016
【図１９】
2015215607.tif 000017
【図２０】
2015215607.tif 000018
【図２２】
2015215607.tif 000019
【図２３】
2015215607.tif 000020
【図２４】
2015215607.tif 000021
【図１】
2015215607.tif 000022
【図１２】
2015215607.tif 000023
【図１６】
2015215607.tif 000024
【図１７】
2015215607.tif 000025
【図２１】
2015215607.tif 000026